(57)【要約】【課題】  濡れ物から落下する水が流し台の天面や浴室のカウンター等を汚すことを防止でき、また掃除を楽にでき、更には棚として使用することができるよう、洗い物の収納部の下側の高さを低くできると共に、軽量化できるようにする。【解決手段】  濡れ物１を載置して水切りするための収納部２と、この収納部２の底面と略同じ大きさに形成し、収納部２から落下する水を受けて端部から排水する排水トレー３とで形成する。この排水トレー３の中央部を支持する支持部材４を、収納部２に設ける。この支持部材４を支点にして排水トレー３を、収納部２の下側にシーソー動作自在に設け、この排水トレー３の上下動する端部から排水する。【選択図】      図１
2009233072.tif 000002
【特許請求の範囲】
【請求項１】
濡れ物を載置して水切りするための収納部と、この収納部の底面と略同じ大きさに形成されて収納部から落下する水を受けて端部から排水する排水トレーとで形成され、この排水トレーの中央部を支持する支持部材が上記の収納部に設けられ、この支持部材を支点にして排水トレーが収納部の下側にシーソー動作自在に設けられ、この排水トレーの上下動する端部から排水されることを特徴とする水切り収納具。
【請求項２】
請求項１記載の水切り収納具であって、排水トレーの中央部の下面に、支持部材と係合する溝が形成され、この溝を介して排水トレーが支持部材に係合されて着脱自在に設けられていることを特徴とする水切り収納具。
【請求項３】
請求項１又は２記載の水切り収納具であって、排水トレーと収納部との間隔を規制して排水トレーを傾斜状に配置させる規制部材が、収納部に着脱自在に設けられていることを特徴とする水切り収納具。
【請求項４】
請求項１乃至３の何れかに記載の水切り収納具であって、排水トレーの周囲が立ち上げられて水止め部に形成され、この水止め部に排水口が切り欠き状に形成され、この排水口に向かって排水トレーの上面が下り勾配に形成されていることを特徴とする水切り収納具。
【発明の詳細な説明】
【技術分野】
【０００１】
本発明は、水切り収納具に関し、更に詳しくは流し台等で洗う食器や野菜等、或いは浴室等で用いるシャンプーボトルや掃除ブラシ等の濡れ物から落下する水で、流し台の天面、或いは浴室のカウンター等が濡れたり汚れたりすることを防止できるよう形成した水切り収納具に関するものである。
【背景技術】
【０００２】
従来、この種の収納具としては、例えば特許文献１に記載されているものが知られている。この従来品は、ワイヤー製の水切り部材と、この水切り部材を載せるためのトレー体とで形成され、このトレー体に、水を任意の方向に排水するための樋状の導水部が設けられているものである。
【０００３】
ところでこの種の収納具は、例えば食器や野菜等から、水滴だけではなく、洗い残しの野菜屑等が落下する場合があるから、水滴以外の落下物があっても、円滑に排水でき、また落下物の除去や掃除を簡単にできるよう形成されているのが望ましい。
またこの種の収納具の場合、流し台の天面等が濡れることを防止するための構造によって、水切り部材の下側の高さが高くなったり重くなると、例えば棚として利用できなくなる等の、新たな問題が生じることになる。
従ってこの種の収納具は、流し台の天面等が濡れることを防止できるだけではなく、水切り部材の下側の高さを低くでき、重量の増加を抑えることができるよう形成されているのが望ましい。
しかるに特許文献１の従来品の場合は、上記の通り、樋状の導水部を介して排水する構造であったから、これによると野菜の切れ端などのごみが導水部に詰まって排水に支障が生じ、また狭い通路状の導水部を掃除するのに手間暇がかかる、という問題点があった。
またこの従来品の場合は、トレー体に形成した排水孔からその下側の導水部に水を導いて排水する構造であったから、水切り部材の下側の高さが高くなるのを避けられず、また水切り部材をトレー体に載せる構造のため、トレー体に所定の強度が必要となり、全体の重量が増加するのを避けられなかった。
従って特許文献１に係る従来品の場合は、流し台の天面等に載置して使用する場合に限られ、棚としては使用することができない、という問題点があった。
【特許文献１】特開２００４−２６７２８５号公報
【発明の開示】
【発明が解決しようとする課題】
【０００４】
本発明は、このような従来品の問題点に鑑み、提案されたものである。
従って本発明の解決しようとする技術的課題は、食器やシャンプーボトル等の濡れ物から落下する水が流し台の天面、或いは浴室のカウンター等を汚すことを防止できるだけではなく、掃除を楽にでき、また収納部の下側の高さを低くできると共に軽量化でき、棚として使用することが可能になるよう形成した水切り収納具を提供することにある。
【課題を解決するための手段】
【０００５】
本発明は、上記の課題を解決するため、次のような技術的手段を採る。
即ち、本発明は、図１等に示されるように、濡れ物１を載置して水切りするための収納部２と、この収納部２の底面と略同じ大きさに形成されて収納部２から落下する水を受けて端部から排水する排水トレー３とで形成され、この排水トレー３の中央部を支持する支持部材４が上記の収納部２に設けられ、この支持部材４を支点にして排水トレー３が収納部２の下側にシーソー動作自在に設けられ、この排水トレー３の上下動する端部から排水されることを特徴とする（請求項１）。
【０００６】
ここで、濡れ物１としては、例えば食器、野菜、洗剤液の収納ボトル、また浴室で使用するシャンプーボトルや掃除ブラシ等がある。本発明の場合、収納部２は、通常、ワイヤー等の線条部材やパンチングメタル等で籠状や棚状に形成されることで実現される。またこの収納部２は、通常、平面視で長方形等の矩形に形成されるが、平面視で円形や楕円形等に形成されるのでも良い。またここで、収納部２の底面と略同じ大きさ、とは、収納部２から落下する水で収納部２の下側を濡らすことがないよう、排水トレー３は収納部２の底面の面積に対応した大きさに形成されている、ということを意味する。またここで、排水トレー３の中央部とは、通常、排水トレー３の前後方向又は左右方向の中央ラインの位置を意味するが、これに限定されるものではなく、シーソー動作が可能になる範囲で排水トレー３の中心部分も含まれる。また本発明の場合、支持部材４の形状は、自由であり、支持部材４は収納部２に後付けされるのでも、或いは収納部２の形成材料を利用して一体に形成されているのでも良い。
【０００７】
而して本発明は、排水トレー３の中央部の下面に、支持部材４と係合する溝３ａが形成され、この溝３ａを介して排水トレー３が支持部材４に係合されて着脱自在に設けられているのが好ましい（請求項２）。
なぜならこれによると、排水トレー３の取り付け取り外しを簡単且つ迅速にでき、排水トレー３の掃除を容易化できるからである。
【０００８】
また本発明は、排水トレー３と収納部２との間隔を規制して排水トレー３を傾斜状に配置させる規制部材６が、収納部２に着脱自在に設けられているのが好ましい（請求項３）。
なぜならこれによると、規制部材６を収納部２に取り付け直すことで、排水トレー３の傾斜方向（排水方向）を簡単に変更できるからである。またこれによると、規制部材６の取り付け位置を変更することで、排水トレー３の傾斜角度を簡単に変更でき、排水の流れる速度を簡単に変更できるからである。
【０００９】
また本発明は、排水トレー３の周囲が立ち上げられて水止め部３ｂに形成され、この水止め部３ｂに排水口５が切り欠き状に形成され、この排水口５に向かって排水トレー３の上面が下り勾配に形成されているのが好ましい（請求項４）。
なぜならこれによると、排水トレー３の端部から分散して水が流れ落ちるのを防止でき、排水口５から整然と且つ円滑に排水できるからである。
【発明の効果】
【００１０】
本発明は、このように濡れ物を載置して水切りするための収納部の下側に、排水トレーを、支持部材を支点にしてシーソー動作自在に設け、この排水トレーの上下動する端部から排水することを特徴としているものである。
従って本発明によれば、濡れ物から落下する水が流し台の天面や浴室のカウンター等を汚すことを防止できる。
また本発明は、上記の通り、シーソー動作する排水トレーの端部から排水するものであるから、これによれば、排水トレーにごみが落下しても支障なく排水でき、またごみを除去することも楽にできる。
更に本発明は、排水トレーを薄くしても機能するから、収納部の下側の高さを低くでき、軽量化を図ることができる。従ってこれによれば、壁に取り付け、棚として使用することができる、という利点がある。
【発明を実施するための最良の形態】
【００１１】
以下、本発明を実施するための最良の形態を説明する。
本発明は、図１等に示されるように、濡れ物１を載置して水切りするための収納部２と、この収納部２の底面と略同じ大きさに形成されて収納部２から落下する水を受けて端部から排水する排水トレー３とで形成されている。
【００１２】
収納部２は、ステンレスワイヤー等の線条部材で、この実施形態では平面視長方形の籠形に形成されている。またこの収納部２は、壁に掛けて棚としても使用できるよう、長手方向に沿った背面側の側面の上部に、壁のフック等に引っ掛けるための引っ掛け部２ａが逆U字状に左右一対形成されている。
【００１３】
上記の排水トレー３は、この実施形態では樹脂材で、収納部２に合わせて長方形状に形成されている。またこの排水トレー３は、左右方向の中央部が支持部材４で支持されている。支持部材４は、この実施形態では図２〜図４等に示されるように、収納部２の左右方向の中央位置の線条部材が、下方に少し延長されると共に、前後の幅方向に渡って横棒状に延ばされることにより形成されている。排水トレー３は、この支持部材４と係合する溝３ａが中央部の下面に形成されている。そして排水トレー３は、この溝３ａを介して支持部材４に着脱自在に係合され、支持部材４を支点にして収納部２の下側にシーソー動作自在に設けられている。
【００１４】
またこの実施形態の場合、排水トレー３は、その周囲が立ち上げられて水止め部３ｂに形成されている。そして排水トレー３の左右の端部側の水止め部３ｂの位置に、排水口５が切り欠き状に形成されている。排水トレー３の上面は、この排水口５に向かって下り勾配に形成されている。
【００１５】
また６は、排水トレー３と収納部２との間隔を規制して排水トレー３を傾斜状に配置させる規制部材である。この規制部材６は、この実施形態では短い丸棒状に形成されると共に、その長手方向に延びて収納部２の底面の周囲の線条部材２ｂに嵌め付けるための嵌合溝６ａが形成されている。規制部材６は、この嵌合溝６ａを線条部材２ｂに嵌め付けることにより、収納部２に着脱自在に設けられている。
【００１６】
次にこの実施形態の本発明品の作用を説明する。
この実施形態の本発明品は、上記の通り、規制部材６が、収納部２の底面の周囲の線条部材２ｂに嵌め付けられ、排水トレー３が一方側に傾斜されている。また排水トレー３の周りには水止め部３ｂが形成され、上面は排水口５に向かって下り勾配に形成されている。
従って収納部２内の濡れ物１から排水トレー３に水が落ちると、水の量や排水トレー３の重さ等の関係で決まる角度だけ排水トレー３が傾き、排水トレー３に落ちた水は、排水トレー３の周りからこぼれることなく、排水口５に向かって誘導され、規制部材６で傾斜した端部側の排水口５から、下方の例えばシンク等に排水される。なお、排水トレー３の傾きは、その下面が図２に示される線条部材２ｃに係止されると最大になる。
【００１７】
而して、排水トレー３の傾き方向を変更する場合は、図２に鎖線で示されるように、ユーザーは、規制部材６を収納部２の他方側の線条部材２ｂに嵌め付ける。また排水トレー３の勾配を調節する場合は、規制部材６を、線条部材２ｂの下側の線条部材２ｃ（図２参照）に嵌め付ける。この場合は、排水トレー３の下面が、規制部材６に当たるため、上例より排水勾配が緩やかになる。従って本発明の場合、規制部材６は、排水トレー３を傾かせて水の流れる方向を規制する機能と共に、排水勾配を調節する機能も有している。
【００１８】
また本発明の場合、このような規制部材６を使用しないときは、支点の位置を境に排水トレー３は水の落下量が多い側に傾き、上昇する側の端部が収納部２の底面に当たって係止する。従って排水トレー３は、１回転することなく傾斜状に配置され、下側になった側の排水口５から排水される。
【００１９】
以上の処において、上例では支持部材４が、収納部２の幅方向に渡って連続した横棒状に形成され、また排水トレー３の下面の溝３ａに係合して排水トレー３を支持しているが、本発明は、これに限定されるものではない。即ち、本発明の場合、支持部材４は、収納部２の両側に、例えば鉤爪状に形成され、排水トレー３の中央部の両側の下面に爪部分が当たって支持するよう形成されているのでも良い。また支持部材４は、排水トレー３の横方向から板厚内に差し込まれて排水トレー３を支持するよう形成されているのでも良い。
【図面の簡単な説明】
【００２０】
【図１】本発明の収納具の好適な一実施形態を示す斜視図である。
【図２】同上の収納具の分解斜視図である。
【図３】同上の収納具の正面図である。
【図４】図３のＩＶ−ＩＶ線における断面図である。
【図５】同上の収納具の平面図である。
【図６】図５のＶＩ−ＶＩ線における断面図である。
【符号の説明】
【００２１】
１      濡れ物
２      収納部
３      排水トレー
４      支持部材
５      排水口
６      規制部材
【図１】
2009233072.tif 000003
【図２】
2009233072.tif 000004
【図３】
2009233072.tif 000005
【図４】
2009233072.tif 000006
【図５】
2009233072.tif 000007
【図６】
2009233072.tif 000008